(57)【要約】      （修正有）【課題】折畳み可能なため、収納及び運搬が容易となり、部品の耐用性が増加し、折畳み及び収納による磨耗を減少可能なゴール用肘関節装置を提供する。【解決手段】ゴールを組み付けるためのものであり、第１回転部材１と、第２回転部材２と、連接プレート３と、を少なくとも備え、第１回転部材は、樹脂で作製され、第１結合部１１と、第１溝１２と、第１溝の延長部分に設けられている第１平面段と、を備え、第２回転部材は、樹脂で作製され、第１回転部材の反対側に位置し、第２結合部２１と、第２溝２２と、第２溝の延長部分に設けられている第２平面段と、を備え、連接プレートは、金属で作製され、第１平面段及び第２平面段と連接し、複数の穿孔を有し、第１回転部材の第１溝と第２回転部材の第２溝との内部に位置し、複数の結合ピンは第１回転穴１３と第２回転穴２３とに差し込まれ、連接プレートは規制側を有する。【選択図】図１
0003215092.tif 000002
【実用新案登録請求の範囲】
【請求項１】
ゴールを組み付けるためのものであり、第１回転部材と、第２回転部材と、連接プレートと、を少なくとも備え、
前記第１回転部材は、
樹脂で作製され、
ゴールのチューブに差し込まれる第１結合部と、
前記第１回転部材に設けられており、上下に第１回転穴が設けられている第１溝と、
前記第１溝の延長部分に設けられており、少なくとも一つの第１固定穴を有する第１平面段と、
を備え、
前記第２回転部材は、
樹脂で作製され、前記第１回転部材の反対側に位置し、
ゴールのチューブに差し込まれる第２結合部と、
前記第２回転部材に設けられており、上下に第２回転穴が設けられている第２溝と、
前記第２溝の延長部分に設けられており、少なくとも一つの第２固定孔を有する第２平面段と、
を備え、
前記連接プレートは、金属で作製され、前記第１平面段及び前記第２平面段と連接し、複数の穿孔を有し、これらの前記穿孔は、前記第１回転穴、前記第２回転穴、前記少なくとも一つの第１固定穴及び前記少なくとも一つの第２固定穴に対応し、前記連接プレートは、前記第１回転部材の前記第１溝と前記第２回転部材の前記第２溝との内部に位置し、複数の結合ピンは前記第１回転穴と前記第２回転穴とに差し込まれることにより、前記第１回転部材と前記第２回転部材とは、相対的に旋回し、又はある相対角度を有する位置に固定され可能であり、ゴールのチューブを展開し、又は折畳み可能であり、前記連接プレートは規制側を有し、前記規制側により、前記第１回転部材と前記第２回転部材との回転角度が規制され、金属で作製される前記連接プレートを、樹脂で作製される、前記第１平面段と、前記第２平面段とに合わせることにより、相対運動による磨耗を減少可能であり、ゴールのチューブを予め接合処理を行った後、前記第１結合部と前記第２結合部とをゴールのチューブに差し込んで、前記複数の結合ピンを前記第１回転穴と前記第２回転穴とに差し込んで、前記第１回転部材と前記第２回転部材とを前記相対角度を有する位置に旋回して、前記第１回転部材と前記第２回転部材とを固定することを特徴とするゴール用肘関節装置。
【請求項２】
前記第１、第２回転部材を第１位置に旋回することにより、前記第１、第２結合部がゴールのチューブを駆動して回転して、前記第１、第２回転部材とゴールのチューブとが同じ直線に位置し、前記少なくとも一つの第１、第２固定穴に前記複数の結合ピンを差し込むと、前記第１、第２回転部材とゴールのチューブとが同じ直線に位置する状態が維持されることを特徴とする、請求項１に記載のゴール用肘関節装置。
【請求項３】
前記第１、第２回転部材を第１位置に旋回することにより、前記第１、第２結合部がゴールのチューブを駆動して旋回して、前記第１、第２回転部材とゴールのチューブとが折畳まれる状態になることを特徴とする、請求項１に記載のゴール用肘関節装置。
【請求項４】
前記第１、第２回転部材の外側には、更に、固定スリーブを備え、前記固定スリーブにより、ゴール用肘関節装置が保護され、前記第１、第２回転部材の磨耗を減少可能であることを特徴とする、請求項３に記載のゴール用肘関節装置。
【請求項５】
前記接合処理は、更に、ゴールのチューブを、長さが互いに異なるように切削し、又は予め穴開けることにより、前記ゴール用肘関節装置にゴールのチューブを接合することを含むことを特徴とする、請求項１に記載のゴール用肘関節装置。
【請求項６】
ゴールに組み付けるためのものであり、第１回転部材と、第２回転部材と、連接プレートと、を少なくとも備え、
前記第１回転部材は、
樹脂で作製され、
ゴール支持柱と連接する第１結合部と、
前記第１回転部材に設けられており、上下に第１回転穴が設けられている第１溝と、
樹脂で作製され、前記第１溝の延長部分に設けられている第１平面段と、
を備え、
前記第２回転部材は、
樹脂で作製され、前記第１回転部材の反対側に位置し、
ゴール支持柱と連接する第２結合部と、
前記第２回転部材に設けられており、上下に第２回転穴が設けられている第２溝と、
樹脂で作製され、前記第２溝の延長部分に設けられている第２平面段と、
を備え、
前記連接プレートは、金属で作製され、前記第１平面段及び前記第２平面段と連接し、複数の穿孔を有し、これらの前記穿孔は、前記第１、第２回転穴と前記第１、第２固定穴とに対応し、前記連接プレートは、前記第１、第２回転部材の前記第１、第２溝内に位置し、複数の結合ピンを前記第１、第２回転穴に差し込むことにより、前記第１、第２回転部材は、相対的に旋回し、又はある相対角度を有する位置に固定され可能であり、これにより、ゴール支持柱を異なる角度に旋回可能であり、前記連接プレートは規制側を有し、前記規制側により、前記第１、第２回転部材の回転角度が規制され、金属で作製される前記連接プレートを、樹脂で作製される前記第１、第２平面段に合わせることにより、相対運動による磨耗を減少可能であることを特徴とするゴール用肘関節装置。
【請求項７】
ゴールの収納を可能にするために、
ゴール用肘関節装置の第１、第２結合部をゴールのチューブに差し込むステップと、
前記ゴール用肘関節装置の第１、第２回転穴に複数の結合ピンを差し込むステップと、
前記ゴール用肘関節装置の第１、第２回転部材をある相対角度を有する位置に旋回するステップと、
前記第１、第２回転部材を固定するステップと、
を少なくとも含むことを特徴とするゴール用肘関節装置。
【請求項８】
更に、
前記第１、第２回転部材を第１位置に旋回することにより、前記第１、第２結合部がゴールのチューブを駆動して旋回して、前記第１、第２回転部材とゴールのチューブとが同じ直線に位置する状態になるステップと、
前記ゴール用肘関節装置の第１、第２固定穴に結合ピンを差し込むことにより、前記第１、第２回転部材とゴールのチューブとが同じ直線に位置する状態が維持されるステップと、
を含むことを特徴とする、請求項７に記載のゴール用肘関節装置。
【請求項９】
前記ゴール用肘関節装置の外側にスリーブを配置するステップを含み、これにより、前記ゴール用肘関節装置を保護可能であり、前記第１、第２回転部材の磨耗を減少可能であることを特徴とする、請求項８に記載のゴール用肘関節装置。
【請求項１０】
更に、
複数のゴール用肘関節装置を使用することにより、ゴール構造の複数のチューブをユーザの希望の特定角度に折畳むステップと、
折畳まれる複数のチューブを前後に転位することにより、前記ゴール構造の体積を減少するステップと、
を含むことを特徴とする、請求項９に記載のゴール用肘関節装置。
【考案の詳細な説明】
【技術分野】
【０００１】
本考案は、肘関節装置に関し、特に、ゴール又はボールラック用の肘関節装置に関するものである。
【背景技術】
【０００２】
従来のゴールの構造は、サッカーゴールを例にする場合には、長さが互いに異なる複数のチューブを組み付けることにより、断面が階段状を呈する装置を構成する。これらのチューブの接合方式は、溶接を採用することが多い。これにより、装置の強度が高く、ボールの高速の衝突を受けることが可能であるが、体積が大きく、形状が一定なため、収納及び運搬が難しい。このようなものは、運動場の一定の場所に置かれて、ユーザは練習または競技をすることが可能である。しかしながら、ユーザは、運動場以外の場所で、ゴールを設置して練習することはできない。
【０００３】
また、継ぎ手を利用することにより、若干のロッドを組み付けてゴールを構成するものがある。これにより、ロッド及び継ぎ手を分解すると、収納空間を大幅に減少可能であり、運搬が便利となり、ユーザは、運動場以外の場所で、ゴールを設置して練習することが可能となる。しかしながら、継ぎ手とロッドとから構成されるゴールは、組み付け及び分解をするステップが極めて複雑であり、工数がかなり掛かり、装置の強度がより低く、ボールに当てられると、転倒又は解体しやすい。
【０００４】
図９を参照する。図９に示すゴールは、出願者が提案した台湾特許第１０３１２９６２９号のゴールである。このようなゴールは、支持柱２０を特定の角度に屈折することが必要である。そうしないと、台座３０を受けることができない。このため、同じ屈折角度を有する複数の支持柱２０を作製することが必要である。支持柱２０の屈折角度が一定であるため、台座３０の寸法の異なりが大きすぎると、台座３０を支持柱２０に合わせることができない。一方、支持柱２０が屈折されたものであるため、収納及び運搬が難しくなる。
【先行技術文献】
【特許文献】
【０００５】
【特許文献１】台湾特許第１０３１２９６２９号公報
【考案の概要】
【考案が解決しようとする課題】
【０００６】
本考案の目的は、折畳み可能なため、収納及び運搬が容易となり、部品の耐用性が増加し、折畳み及び収納による磨耗を減少可能なゴール用肘関節装置を提供することにある。
【課題を解決するための手段】
【０００７】
本考案のゴール用肘関節装置によると、ゴールを組み付けるためのものであり、第１回転部材と、第２回転部材と、連接プレートと、を少なくとも備え、
第１回転部材は、
樹脂で作製され、
ゴールのチ内ューブに差し込まれる第１結合部と、
第１回転部材に設けられており、上下に第１回転穴が設けられている第１溝と、
第１溝の延長部分に設けられており、少なくとも一つの第１固定穴を有する第１平面段と、
を備え、
第２回転部材は、
樹脂で作製され、第１回転部材の反対側に位置し、
ゴールのチューブに差し込まれる第２結合部と、
第２回転部材に設けられており、上下に第２回転穴が設けられている第２溝と、
第２溝の延長部分に設けられており、少なくとも一つの第２固定孔を有する第２平面段と、
を備え、
連接プレートは、金属で作製され、第１平面段及び第２平面段と連接し、複数の穿孔を有し、これらの穿孔は、第１回転穴、第２回転穴、少なくとも一つの第１固定穴及び少なくとも一つの第２固定穴に対応し、連接プレートは、第１回転部材の第１溝と第２回転部材の第２溝との内部に位置し、複数の結合ピンは第１回転穴と第２回転穴とに差し込まれることにより、第１回転部材と第２回転部材とは、相対的に旋回し、又はある相対角度を有する位置に固定可能であり、ゴールのチューブを展開し、又は折畳み可能であり、連接プレートは規制側を有し、規制側により、第１回転部材と第２回転部材との回転角度が規制され、金属で作製される連接プレートを、樹脂で作製される、第１平面段と、第２平面段とに合わせることにより、相対運動による磨耗を減少可能であり、ゴールのチューブを予め接合処理を行った後、第１結合部と第２結合部とをゴールのチューブに差し込んで、複数の結合ピンを第１回転穴と第２回転穴とに差し込んで、第１回転部材と第２回転部材とを相対角度を有する位置に旋回して、第１回転部材と第２回転部材とを固定することを特徴とする。
【０００８】
本考案のゴール用肘関節装置によると、第１、第２回転部材を第１位置に旋回することにより、第１、第２結合部がゴールのチューブを駆動して回転して、第１、第２回転部材とゴールのチューブとが同じ直線に位置し、少なくとも一つの第１、第２固定穴に複数の結合ピンを差し込むと、第１、第２回転部材とゴールのチューブとが同じ直線に位置する状態が維持されることを特徴とする。
【０００９】
本考案のゴール用肘関節装置によると、第１、第２回転部材を第１位置に旋回することにより、第１、第２結合部がゴールのチューブを駆動して旋回して、第１、第２回転部材とゴールのチューブとが折畳まれる状態になることを特徴とする。
【００１０】
本考案のゴール用肘関節装置によると、第１、第２回転部材の外側には、更に、固定スリーブを備え、固定スリーブにより、ゴール用肘関節装置が保護され、第１、第２回転部材の磨耗を減少可能であることを特徴とする。
【００１１】
本考案のゴール用肘関節装置によると、接合処理は、更に、ゴールのチューブを、長さが互いに異なるように切削し、又は予め穴開けることにより、ゴール用肘関節装置にゴールのチューブを接合することを含むことを特徴とする。
【００１２】
本考案のゴール用肘関節装置によると、ゴールに組み付けるためのものであり、第１回転部材と、第２回転部材と、連接プレートと、を少なくとも備え、
第１回転部材は、
樹脂で作製され、
ゴール支持柱と連接する第１結合部と、
第１回転部材に設けられており、上下に第１回転穴が設けられている第１溝と、
樹脂で作製され、第１溝の延長部分に設けられている第１平面段と、
を備え、
第２回転部材は、
樹脂で作製され、第１回転部材の反対側に位置し、
ゴール支持柱と連接する第２結合部と、
第２回転部材に設けられており、上下に第２回転穴が設けられている第２溝と、
樹脂で作製され、第２溝の延長部分に設けられている第２平面段と、
を備え、
連接プレートは、金属で作製され、第１平面段及び第２平面段と連接し、複数の穿孔を有し、これらの穿孔は、第１、第２回転穴と第１、第２固定穴とに対応し、連接プレートは、第１、第２回転部材の第１、第２溝内に位置し、複数の結合ピンを第１、第２回転穴に差し込むことにより、第１、第２回転部材は、相対的に旋回し、又はある相対角度を有する位置に固定可能であり、これにより、ゴール支持柱を異なる角度に旋回可能であり、連接プレートは規制側を有し、規制側により、第１、第２回転部材の回転角度が規制され、金属で作製される連接プレートを、樹脂で作製される第１、第２平面段に合わせることにより、相対運動による磨耗を減少可能であることを特徴とする。
【００１３】
本考案のゴール用肘関節装置によると、ゴールの収納を可能にするために、
ゴール用肘関節装置の第１、第２結合部をゴールのチューブに差し込むステップと、
ゴール用肘関節装置の第１、第２回転穴に複数の結合ピンを差し込むステップと、
ゴール用肘関節装置の第１、第２回転部材をある相対角度を有する位置に旋回するステップと、
第１、第２回転部材を固定するステップと、
を少なくとも含むことを特徴とする。
【００１４】
本考案のゴール用肘関節装置によると、更に、
第１、第２回転部材を第１位置に旋回することにより、第１、第２結合部がゴールのチューブを駆動して旋回して、第１、第２回転部材とゴールのチューブとが同じ直線に位置する状態になるステップと、
ゴール用肘関節装置の第１、第２固定穴に結合ピンを差し込むことにより、第１、第２回転部材とゴールのチューブとが同じ直線に位置する状態が維持されるステップと、
を含むことを特徴とする。
【００１５】
本考案のゴール用肘関節装置によると、ゴール用肘関節装置の外側にスリーブを配置するステップを含み、これにより、ゴール用肘関節装置を保護可能であり、第１、第２回転部材の磨耗を減少可能であることを特徴とする。
【００１６】
本考案のゴール用肘関節装置によると、更に、
複数のゴール用肘関節装置を使用することにより、ゴール構造の複数のチューブをユーザの希望の特定角度に折畳むステップと、
折畳まれる複数のチューブを前後に転位することにより、ゴール構造の体積を減少するステップと、
を含むことを特徴とする。
【考案の効果】
【００１７】
本考案のゴール用肘関節装置によれば、次のような効果がある。
（１）転位するように折畳んで収容可能なため、占めるスペースを減少可能であり、輸送及び収納が便利となる。展開するときには、結合ピン、固定スリーブ、又はスリーブにより、ゴールの強度が強化される。高速なボールの衝撃を受けても、ゴールが容易に転倒、又は解体することはない。
【００１８】
（２）金属と樹脂との組合を利用することにより、ゴールの磨耗が大幅に減少され、寿命がより長くなる。
【００１９】
（３）例えばサッカーゴール、グラスホッケーゴール、又は野球訓練用網などの運動器材が、本考案に係るゴール用肘関節装置を採用すると、天気が良くない場合には、室内の場所にゴールを迅速に移動して、練習を継続することが可能となる。そしてゴールの移動が迅速となるため、ボールスポーツの種類を迅速に変換可能であり、運動場の利用を最大限にすることが可能である。
【００２０】
（４）ゴール構造は、溶接による接合の代わりに、本考案に係るゴール用肘関節装置を採用することにより、構造全体の占めるスペースを減少可能であり、輸送及び収納が便利となる。
【００２１】
（５）ゴール支持柱をユーザの設定角度に屈折して、台座を受け可能となるため、異なる体積を有するゴールの台座に合い可能となる。
【図面の簡単な説明】
【００２２】
【図１】本考案に係るゴール用肘関節装置を示す斜視図である。
【図２】本考案に係るゴール用肘関節装置を示す分解斜視図である。
【図３】本考案に係るゴール用肘関節装置の第２位置を説明する図である。
【図４】本考案に係るゴール用肘関節装置をサッカーゴールに適用する状態を示す図である。
【図５】本考案に係るゴール用肘関節装置がサッカーゴールに適用されて、サッカーゴールが折畳み可能となることを示す図である。
【図６】本考案に係るゴール用肘関節装置をグラスホッケーゴールに適用する状態を示す図である。
【図７】本考案に係るゴール用肘関節装置を野球訓練用網に適用する状態を示す図である。
【図８】本考案に係るゴール用肘関節装置の使用方法を示すフローチャートである。
【図９】従来のゴールの構造を示す図である。
【図１０】本考案に係るゴール用肘関節装置の使用状態を示す図である。
【図１１】本考案に係るゴール用肘関節装置の収納状態を示す図である。
【考案を実施するための形態】
【００２３】
以下、本考案の実施の形態を図面に基づいて説明する。
【００２４】
図１は本考案に係るゴール用肘関節装置を示す斜視図である。図１を参照する。本考案に係るゴール用肘関節装置は、ゴールの組み付けに使用され、第１回転部材１と、第２回転部材２と、連接プレート３と、から構成される。図２は本考案に係るゴール用肘関節装置を示す分解斜視図である。本実施形態では、第１回転部材１が連接プレート３に組み付けられており、第１回転部材１に第１結合部１１が設けられており、第１結合部１１がゴールのチューブに差し込まれる。第１回転部材１は第１溝１２を有する。第１溝１２の上下に第１回転穴１３がそれぞれ設けられている。第１回転部材１の前端には、連接プレート３と接触する第１平面段１４が伸びる。第１平面段１４に第１固定穴１５が設けられている。別の実施形態では、第１平面段１４が耐磨耗な材質で作製され、例えば樹脂を採用するが、本考案はこれらに限定されない。
【００２５】
本考案に係る装置をゴールのチューブに合わせるために、ゴールのチューブ（一般的には鋼管である）が予め接合処理または嵌合処理を行う。当該処理は、鋼管の一端を短くに切削して鋼管を穴あける処理、又は本考案に係る装置とゴールのチューブとを適当に接続可能な処理を含む。
【００２６】
第１回転部材１、第２回転部材２及び連接プレート３を有効に固定し、又は固定の効果を増加し、一つだけの固定穴による揺れを回避するために、第１固定穴１５は一つあることに限定されず、本考案の請求範囲を逸脱しない限り、本装置の強固性を増加するために、一つ以上の第１固定穴１５を設けてもよい。例えば、第１平面段１４に互いに対称する二つの第１固定穴１５を設けてもよい。
【００２７】
図２を参照する。第１回転部材１の第１結合部１１は、樹脂を採用してもよい。例えば、熱可塑性樹脂を採用してもよい。本実施形態では、第１結合部１１は、一体的に成形された長形の樹脂チューブであり、第１平面段１４と第１結合部１１とは、同じ樹脂チューブを一体的に成形して作製される。第１平面段１４は樹脂を採用する。これにより、本考案に係るゴール用肘関節装置の強固性が増加する。一方、第１回転部材１の第１平面段１４は、樹脂を敷設して構成されるため、防錆効果を有し、そして第１回転部材１と連接プレート３との間の摩擦力を減少可能であり、寿命を増加可能である。特に、第１結合部１１は一体的に成形された長形の樹脂チューブであるが、本考案はこれらに限定されない。本考案の請求範囲を逸脱しない限り、本装置の強固性を増加するために、ユーザは、第１結合部１１の長さ又は形状を自己設定してもよい。
【００２８】
図２を参照する。第２回転部材２は、連接プレート３に組み付けられ、第１回転部材１の反対側に位置する。第２回転部材２に第２結合部２１が設けられている。第２結合部２１はゴールのチューブに差し込まれる。第２回転部材２は第２溝２２を有する。第２溝２２の上下に第２回転穴２３がそれぞれ設けられている。第２回転部材２の前端には、連接プレート３と接触する第２平面段２４が設けられている。第２平面段２４は、第２溝２２の延長部分に設けてもよい。第２平面段２４に第２固定穴２５が設けられている。別の実施形態では、第１平面段１４が耐磨耗な材質で作製され、例えば樹脂を採用するが、本考案はこれらに限定されない。
【００２９】
第１回転部材１、第２回転部材２及び連接プレート３を有効に固定し、又は固定の効果を増加することにより、一つだけの固定穴による揺れを回避するために、第２固定穴２５が一つあることに限定されない。本考案の請求範囲を逸脱しない限り、本装置の強固性を増加するために、一つ以上の第２固定穴２５を設けてもよい。例えば、第２平面段２４に、互いに対称する二つの第２固定穴２５を設けてもよい。特に、複数の第１固定穴１５と複数の第２固定穴２５とを合わせるめに、連接プレート３に穿孔が複数設けられている。
【００３０】
図２を参照する。第２回転部材２の第１結合部２１は、樹脂を採用してもよい。例えば、熱可塑性樹脂を採用してもよい。本実施形態では、第２結合部２１は、一体的に成形された長形の樹脂チューブであり、第２平面段２４と第２結合部２１とは、同じ樹脂チューブを一体的に成形して作製される。第２平面段２４は樹脂を採用する。これにより、本考案に係るゴール用肘関節装置の強固性が増加する。一方、第２回転部材２の第２平面段２４は、樹脂を敷設して構成されるため、防錆効果を有し、そして第２回転部材２と連接プレート３との間の摩擦力を減少可能であり、寿命を増加可能である。特に、第２結合部２１は一体的に成形された長形の樹脂チューブであるが、本考案はこれらに限定されない。本考案の請求範囲を逸脱しない限り、本装置の強固性を増加するために、ユーザは、第２結合部２１の長さ又は形状を自己設定してもよい。
【００３１】
連接プレート３は、第１平面段１４と第２平面段２４とに旋回可能に連接されており、第１回転部材１及び第２回転部材２と連接するためのものである。連接プレート３は複数の穿孔３１を有する。穿孔３１は、第１、第２回転穴１３，２３及び第１、第２固定穴１５，２５に対応する。第１、第２回転部材１，２の第１、第２溝１２，２２に連接プレート３を差し込んで、第１、第２回転穴１３，２３に結合ピンを差し込むと、第１、第２回転部材１，２は、相対的に旋回し、又はある相対角度に固定可能である。これにより、ゴールのチューブを展開し、又は折畳んで収納可能である。
【００３２】
図２を参照する。連接プレートは、矩形を呈するプレートでもよい。本実施形態では、連接プレートの二つの角部が円弧形を呈するため、第１、第２回転部材１，２が回転可能となる。なお、連接プレートの円弧形を呈する角部以外の角部は直角形を呈するため、連接プレート３は規制側３２を有する。規制側３２により、第１、第２回転部材１，２の回転角度を規制可能である。これにより、ゴールのチューブ５１を展開し、又は折畳んで収納可能である。
【００３３】
図２を参照する。本実施形態では、金属で作製される連接プレート３は、樹脂で作製される第１、第２平面段１４，２４に組み付けられる。これにより、相対運動による磨耗を減少可能であると共に、相対運動をするときに、連接プレート３と第１、第２平面段１４，２４との間の摩擦による磨耗がより少ないため、連接プレート３の損壊率が降下し、連接プレート３の寿命が増加し、連接プレート３を頻繁に交換することが必要ない。
【００３４】
図３は本考案に係るゴール用肘関節装置の第２位置を説明する図である。図１及び図３を参照しながら、本考案に係るゴール用肘関節装置の作動方式を説明する。本実施形態では、直線状態を第１位置Ａとし、折畳み状態を第２位置Ｂとする。第１位置Ａはゴールを展開するときに使用し、なお、第２位置Ｂはゴールを折畳んで収納するときに使用する。本実施形態では、転位するように収納する方式を採用するため、収納後の装置の体積がより小さく、輸送及び移動が容易となる。
【００３５】
図４は、本考案に係るゴール用肘関節装置がサッカーゴールに適用される状態を示す図である。本考案に係るゴールのガントリーに回転継ぎ手５が設けられている。その接合技術は、よく見られる接合技術を採用する。これらの回転継ぎ手５にゴールのチューブ５１（長さがほぼ少なくとも１メートル）を組み付ける。チューブ５１の他側に、本考案に係るゴール用肘関節装置を組み付ける。本実施形態では、本考案に係るゴール用肘関節装置は、リンテル（すなわち、ゴールの横方向の最も長いチューブ５１）と下端が床面に接触するポストのチューブ５１とに取り付けられる。
【００３６】
図５は本考案に係るゴール用肘関節装置がサッカーゴールに適用される状態を示す図であって、折畳まれて収納する状態を示す。ゴールを展開しようとするときには、図１に示すように、第１、第２回転部材１，２を第１位置Ａに回転して、第１、第２結合部１１，２１により、ゴールのチューブ５１を駆動して回転する。第１、第２回転部材１，２とゴールのチューブ５１とを同じ直線に位置した後、第１、第２固定穴１５，２５に結合ピンを差し込むことにより、第１、第２回転部材１，２とゴールのチューブ５１とが同じ直線に位置する状態が維持される。
【００３７】
図５を参照する。本実施形態では、本考案に係るゴール用肘関節装置は、更に、固定スリーブ４を有する。固定スリーブ４により、ゴール肘関節装置を固定可能であり、第１、第２回転部材の磨耗を減少可能である。固定スリーブ４は、金属で作製され、例えば、スライド可能な鋼管でもよい。固定スリーブ４は、第１、第２回転部材１，２を嵌めた後、ネジ及びナットにより、第１、第２回転部材１，２の第１、第２回転穴１３，２３に締結されると、連接プレート３も固定される。この場合には、鋼管である固定スリーブ４により、第１、第２回転部材１，２が同じ直線に位置する状態が維持されるため、固定穴１５，２５に結合ピンを差し込んで固定することは必要ない。
【００３８】
一部の選手は、ボールがゴールに入ることを阻止するために、ゴールのリンテルを握ることがある。このため、本考案に係る固定スリーブ４に別のスリーブを追加してもよい。そうすると、第１、第２回転部材１，２が同じ直線に位置する状態を保持可能であると同時に、ゴールが選手に握られて傾斜することを回避可能である。
【００３９】
図５を参照する。ゴールを折畳んで収納しようとするときには、第１、第２固定穴１５，２５に差し込まれた結合ピンを緩めて（固定スリーブ４により固定する場合には、固定スリーブ４を直接に取り外す。）、第１、第２回転部材１，２を第２位置Ｂに旋回して、第１、第２結合部１１，２１がゴールのチューブ５１を駆動して旋回してＶ字形を呈する折畳み状態になり、左右側にあるポストと後方にあるリンテルとのチューブ５１は、例えばＡ字形を呈するように折畳まれる。別の実施形態では、複数のゴール用肘関節装置により、ゴールの複数のチューブが特定の角度に折畳まれる。折畳まれた複数のチューブを前後に転位することにより、ゴール構造の体積を減少可能であり、携帯及び輸送は便利となる。前後に転位する折畳み方式を採用することにより、サッカーゴールの体積が大幅に減少する。これにより、天気が良くない場合、又は別のボールスポーツに変換したい場合には、サッカーゴールの運搬及び使用が極めて便利である。
【００４０】
図６は、本考案に係るゴール用肘関節装置がグラスホッケーゴールに適用される状態を示す図である。グラスホッケーのゴールは、ほぼコ字形を呈するポストであり、ポストの後方に、チューブ５１が二等辺三角形のように配列される装置である。本考案に係るゴール用肘関節装置は、サッカーゴールに適用可能である他、グラスホッケーゴールに適用することも可能である。本考案に係るゴール用肘関節装置により、ポストを第１位置Ａに旋回して直線状態にする他、本考案に係る第１、第２回転部材１，２を旋回してある相対角度にすることにより、ポストの後方が二等辺三角形を呈する構造になる。そうすると、グラスホッケーの訓練または競技が可能となる。グラスホッケーの訓練または競技をしたくないときには、第１、第２回転部材１，２を第２位置Ｂに旋回すると、グラスホッケーゴールを収納可能となる。
【００４１】
図７は、本考案に係るゴール用肘関節装置が野球訓練用網に適用される状態を示す図である。このような訓練用網により、ピッチャーはピッチングの練習をすることが可能であり、打撃者はボールの打撃の練習をすることも可能である。本考案に係るゴール用肘関節装置は、網枠の位置Ａ、Ｂ、Ｃ及びＤにそれぞれ取り付けられている。本考案に係るゴール用肘関節装置を位置Ａ及びＢに取る付けることにより、右上方にある網を、右下方にある網に対して垂直に折畳み、又は展開可能である。本考案に係るゴール用肘関節装置を位置Ｃ及びＤに取る付けることにより、左下方にある網を、右下方にある網に対して水平に折畳み、又は展開可能である。
【００４２】
図１から図３を参照する。本考案に係るゴール用肘関節装置は、ゴールの組付けに適用可能である。特に、本考案に係るゴール用肘関節装置の体積の大きさは、もちろん、上記の実施形態に限定されない。例えば、ゴールに組み付けられるゴール用肘関節装置の体積は、ボールラックに組み付けられるゴール用肘関節装置の体積より大きくてもよい。本実施形態では、第１結合部１１と第２節合部２１とがゴール支持柱と連接する。これにより、ゴール支持柱をユーザの設定角度に屈折して、台座を受け可能となる。そうすると、収納及び携帯が便利となり、更に、異なる体積を有するゴールの台座に合い可能となる。
【００４３】
図１０は、本考案に係るゴール用肘関節装置の使用状態を示す図である。図１０を参照する。本考案に係るゴール肘関節装置１００がゴール支持柱１０２と連接することにより、ゴール支持柱１０２をユーザの設定角度に屈折して、台座を受けることが可能となる。ゴールの台座の体積がより大きい場合には、ゴール肘関節装置１００により屈折角度を増加可能である。換言すると、ゴール肘関節装置１００をゴール支持柱１０２に設けることにより、異なる体積を有するゴールの台座にゴール支持柱１０２を合うことが可能である。
【００４４】
図１１は、本考案に係るゴール用肘関節装置の収納状態を示す図である。図１１を参照する。本考案に係るゴール肘関節装置１００がゴール支持柱１０２と連接することにより、ゴール支持柱１０２をユーザの設定角度に屈折可能なため、収納及び輸送するときに、大角度に屈折することにより、例えば上端のゴール支持柱１０２を、下端のゴール支持柱１０２に平行するまで屈折可能である。本実施形態では、ゴール支持柱１０２が互いに平行するため、ゴールの長さ及び幅が小さくなり、収納、携帯及び運搬が便利となる。
【００４５】
図８は、本考案に係るゴール用肘関節装置の使用方法を示すフローチャートである。図８を参照する。図１から図４を参照しながら、ゴール用肘関節装置の使用方法のステップ８０１〜８０４を説明する。本実施形態では、本考案に係るゴール用肘関節装置とゴールのチューブとを良く接続するために、ゴールのチューブ（一般的には鋼管である）を予め接合処理または嵌合処理を行う。当該処理は、鋼管の一端を短くに切削して、鋼管を穴あける処理、又は本考案に係るゴール用肘関節装置をゴールのチューブと適当に接合可能なその他の処理を含む。本実施形態では、第１、第２回転部材１，２を第１位置Ａに旋回することにより、第１、第２結合部１１，２１がゴールチューブ５１を駆動して旋回して、第１、第２回転部材とゴールのチューブとが同じ直線に位置する状態になる。ゴール用肘関節装置の第１、第２固定穴１５，２５に結合ピンを差し込むことにより、第１、第２回転部材１，２とゴールチューブ５１とが同じ直線に位置する状態を維持可能である。
【００４６】
図５及図８を参照する。本実施形態では、複数のゴール用肘関節装置により、ゴール構造の複数のチューブ５１をユーザの特定角度に折畳んで、折畳まれた複数のチューブ５１を前後に転位する。これにより、ゴール構造の体積を減少可能であり、携帯及び運搬が便利となる。
【符号の説明】
【００４７】
１  第１回転部材
２  第２回転部材
３  連接プレート
４  固定スリーブ
５  回転継ぎ手
１１  第１結合部
１２  第１溝
１３  第１回転穴
１４  第１平面段
１５  第１固定穴
２０  支持柱
２１  第２結合部
２２  第２溝
２３  第２回転穴
２４  第２平面段
２５  第２固定穴
３０  台座
３１  穿孔
３２  規制側
５１  チューブ
１００  ゴール肘関節装置
１０２  ゴール支持柱
８０１〜８０３  ステップ
Ａ  第１位置
Ｂ  第２位置
【図１】
0003215092.tif 000003
【図２】
0003215092.tif 000004
【図３】
0003215092.tif 000005
【図４】
0003215092.tif 000006
【図５】
0003215092.tif 000007
【図６】
0003215092.tif 000008
【図７】
0003215092.tif 000009
【図８】
0003215092.tif 000010
【図９】
0003215092.tif 000011
【図１０】
0003215092.tif 000012
【図１１】
0003215092.tif 000013
【手続補正書】
【提出日】平成29年12月21日(2017.12.21)
【手続補正１】
【補正対象書類名】実用新案登録請求の範囲
【補正対象項目名】全文
【補正方法】変更
【補正の内容】
【実用新案登録請求の範囲】
【請求項１】
ゴールを組み付けるためのものであり、第１回転部材と、第２回転部材と、連接プレートと、を少なくとも備え、
前記第１回転部材は、
樹脂で作製され、
ゴールのチューブに差し込まれる第１結合部と、
前記第１回転部材に設けられており、上下に第１回転穴が設けられている第１溝と、
前記第１溝の延長部分に設けられており、少なくとも一つの第１固定穴を有する第１平面段と、
を備え、
前記第２回転部材は、
樹脂で作製され、前記第１回転部材の反対側に位置し、
ゴールのチューブに差し込まれる第２結合部と、
前記第２回転部材に設けられており、上下に第２回転穴が設けられている第２溝と、
前記第２溝の延長部分に設けられており、少なくとも一つの第２固定孔を有する第２平面段と、
を備え、
前記連接プレートは、金属で作製され、前記第１平面段及び前記第２平面段と連接し、複数の穿孔を有し、これらの前記穿孔は、前記第１回転穴、前記第２回転穴、前記少なくとも一つの第１固定穴及び前記少なくとも一つの第２固定穴に対応し、前記連接プレートは、前記第１回転部材の前記第１溝と前記第２回転部材の前記第２溝との内部に位置し、複数の結合ピンは前記第１回転穴と前記第２回転穴とに差し込まれることにより、前記第１回転部材と前記第２回転部材とは、相対的に旋回し、又はある相対角度を有する位置に固定され可能であり、ゴールのチューブを展開し、又は折畳み可能であり、前記連接プレートは規制側を有し、前記規制側により、前記第１回転部材と前記第２回転部材との回転角度が規制され、金属で作製される前記連接プレートを、樹脂で作製される、前記第１平面段と、前記第２平面段とに合わせることにより、相対運動による磨耗を減少可能であり、ゴールのチューブを予め接合処理を行った後、前記第１結合部と前記第２結合部とをゴールのチューブに差し込んで、前記複数の結合ピンを前記第１回転穴と前記第２回転穴とに差し込んで、前記第１回転部材と前記第２回転部材とを前記相対角度を有する位置に旋回して、前記第１回転部材と前記第２回転部材とを固定することを特徴とするゴール用肘関節装置。
【請求項２】
前記第１、第２回転部材を第１位置に旋回することにより、前記第１、第２結合部がゴールのチューブを駆動して回転して、前記第１、第２回転部材とゴールのチューブとが同じ直線に位置し、前記少なくとも一つの第１、第２固定穴に前記複数の結合ピンを差し込むと、前記第１、第２回転部材とゴールのチューブとが同じ直線に位置する状態が維持されることを特徴とする、請求項１に記載のゴール用肘関節装置。
【請求項３】
前記第１、第２回転部材を第１位置に旋回することにより、前記第１、第２結合部がゴールのチューブを駆動して旋回して、前記第１、第２回転部材とゴールのチューブとが折畳まれる状態になることを特徴とする、請求項１に記載のゴール用肘関節装置。
【請求項４】
前記第１、第２回転部材の外側には、更に、固定スリーブを備え、前記固定スリーブにより、ゴール用肘関節装置が保護され、前記第１、第２回転部材の磨耗を減少可能であることを特徴とする、請求項３に記載のゴール用肘関節装置。
【請求項５】
前記接合処理は、更に、ゴールのチューブを、長さが互いに異なるように切削し、又は予め穴開けることにより、前記ゴール用肘関節装置にゴールのチューブを接合することを含むことを特徴とする、請求項１に記載のゴール用肘関節装置。
【請求項６】
ゴールに組み付けるためのものであり、第１回転部材と、第２回転部材と、連接プレートと、を少なくとも備え、
前記第１回転部材は、
樹脂で作製され、
ゴール支持柱と連接する第１結合部と、
前記第１回転部材に設けられており、上下に第１回転穴が設けられている第１溝と、
樹脂で作製され、前記第１溝の延長部分に設けられている第１平面段と、
を備え、
前記第２回転部材は、
樹脂で作製され、前記第１回転部材の反対側に位置し、
ゴール支持柱と連接する第２結合部と、
前記第２回転部材に設けられており、上下に第２回転穴が設けられている第２溝と、
樹脂で作製され、前記第２溝の延長部分に設けられている第２平面段と、
を備え、
前記連接プレートは、金属で作製され、前記第１平面段及び前記第２平面段と連接し、複数の穿孔を有し、これらの前記穿孔は、前記第１、第２回転穴と第１、第２固定穴とに対応し、前記連接プレートは、前記第１、第２回転部材の前記第１、第２溝内に位置し、複数の結合ピンを前記第１、第２回転穴に差し込むことにより、前記第１、第２回転部材は、相対的に旋回し、又はある相対角度を有する位置に固定され可能であり、これにより、ゴール支持柱を異なる角度に旋回可能であり、前記連接プレートは規制側を有し、前記規制側により、前記第１、第２回転部材の回転角度が規制され、金属で作製される前記連接プレートを、樹脂で作製される前記第１、第２平面段に合わせることにより、相対運動による磨耗を減少可能であることを特徴とするゴール用肘関節装置。